(57)【要約】  【課題】  光ピックアップについて、部品の脱落のない安定した構造を得る。  【解決手段】  基台１０との間に設けていたアクトベース２０の傾き調整用のコイルバネに代えて、両端寄りに段部１９ａと両端にフランジ部１９ｂを有した棒状のゴム１９の上側の段部１９ａを基台１０の支柱１８の上端水平突設部に設けた貫通穴１８ａに挿通し、上側フランジ部１９ｂで係合させ、下側の段部を、その貫通穴１８ａの直下のアクトベース２０の底面から水平に突設されたねじ止め板１３のねじ穴１３ａと、その直下の位置の基台１０に設けた貫通穴１８ｂに挿通し、その両穴１３ａと１８ｂに下側フランジ部１９ｂを係合させる。棒状のゴム１９は、簡単に脱落することがなく、アクトベース２０の基台１０に対する傾きの調整は、従来通り、二つのねじ留め箇所のねじの締め具合で行える。【選択図】      図１
2007058899.tif 000002
【特許請求の範囲】
【請求項１】
光源からの出射光を対物レンズ側に平行光にして照射するコリメータレンズと、対物レ
ンズと、その対物レンズのホルダを擁し、基台の上に搭載される上面解放箱形状のアクト
ベースの基台に臨む底面と、基台の表面のそれぞれに、互いに球面接触する形状が形成さ
れていて、アクトベースが基台に対して揺動自在になっているとともに、その基台の、ア
クトベースが球面接触している領域の外側の三点の内の二点において、アクトベースの周
壁から水平に突設させたねじ止め板に対して、基台の底面側から上向きに、アクトベース
の傾き調整用ねじを螺合させ、残りの一点において、基台に立設した支柱の上端の水平突
設部とアクトベースの底面から水平に突設させたねじ止め板との間で、そのねじ止め板に
設けられたねじ穴と、前記支柱の水平突設部に垂下された柱体とにコイルバネの両端を係
合させて立設保持した光ピックアップにおいて、
前記コイルバネに代えて、両端寄りに段部とフランジ部を有した棒状のゴムの一方の段
部を、前記基台に立設した支柱の上端の水平突設部の柱体を廃止して設けた係合穴に挿通
し、他方の段部を、前記アクトベースの底面から水平に突設されたねじ止め板のねじ穴と
、その直下の位置の基台に設けた貫通穴の両者に挿通し、それぞれの段部が挿通された穴
の位置で、端部のフランジ部を係合させることにより、その棒状のゴムを立設保持したこ
とを特徴とする光ピックアップのアクトベースの傾き調整機構。
【請求項２】
請求項１に記載のアクトベースの傾き調整機構を備えた光ピックアップ。
【請求項３】
請求項２に記載の光ピックアップを備えた光ディスク装置。
【発明の詳細な説明】
【技術分野】
【０００１】
この発明は、光ディスクに対してデジタル情報の記録や再生を行う光ディスク装置に搭
載されている光ピックアップの、対物レンズを擁したアクトベースの傾き調整機構の改良
に関する。
【背景技術】
【０００２】
光ディスク装置は、それに搭載された光ピックアップの光源からレーザ光を光媒体のデ
ィスク(以下、光ディスクという)の板面に照射して、その反射光を受光素子で受け取って
、信号を再生する。
【０００３】
その光ディスクの板面は円周方向に沿って情報ビットたる凹部が形成された信号面にな
っており、光が、その信号面の凹部に照射されたときと、それ以外の部分に照射されたと
きとでは、反射光の強さが異なる。このことにより、０と１からなるデジタル信号が再生
される。
【０００４】
このような光ディスクは映像信号の場合、音声信号に比べて信号密度が格段に高く、そ
れは、言い換えると、光ディスクの半径方向のビット(凹部)の間隔が狭いということであ
る。従って、そのような高密度の記録を正確に再生するためにはレーザ光のビーム径を小
さくする必要がある。
【０００５】
このビーム径は、レーザ光の波長に比例し、光ピックアップ内の対物レンズの開口数に
反比例する。従って、ビーム径を小さくするために対物レンズの開口数を大きく設定する
と、光ディスクの信号面に対してレーザ光が僅かに傾いても、小径のビーム径では狭い間
隔で形成されている凹部の誤った位置に光を照射して、信号を正しく再生できないおそれ
がある。
【０００６】
そこで、この光ピックアップ(以下、簡単にピックアップともいう)が搭載されている光
ディスク装置に、そのピックアップの傾き調整機構を設けて、光ディスク装置の組み立て
工程において、ピックアップの傾きを微調整することが行われている。
【０００７】
この傾きの調整は、光源からの出射光を対物レンズ側に平行光にして照射するコリメー
タレンズと、対物レンズと、その対物レンズのホルダや、そのホルダをフォーカス方向と
トラッキング方向に移動させる電磁駆動機構が搭載されるアクトベースを、それが固定さ
れる基台に対する傾きを調整することによって行われる。その一例が下記の公知文献(特
許文献１)に開示されている。
【特許文献１】特開２００１−５２３４５号公報（第３図）  しかしながら、前記公知文献のピックアップの傾き調整機構(以下、簡単に「傾き調整機構」ともいう)は複雑な構成を有しており、フナイ販売（株）のＤＶＤ−Ｆ７００Ｓ、ＶＤ−Ｆ１０００、ＶＤＹＷ２ＦＮ等のモデルには、その簡単な機構のものが搭載されている。図２は、その簡略化された傾き調整機構を有するピックアップの基台１０とアクトベース２０を組み合わせた状態を斜視図で示したものである。
【０００８】
このアクトベース２０上には、先述したように、コリメータレンズ、対物レンズ、その
対物レンズのホルダ、および、その対物レンズホルダをフォーカス方向とトラッキング方
向に移動させるための電磁駆動機構として磁石、コイル、ヨーク等の電磁回路の構成部品
が搭載され、また、基台１０の符号１で指示した位置に発光ダイオード等の光源が取り付
けられるが、これらは、本発明とそれに関わる以下の従来例を説明するための必須の構成
部品ではなく、図の煩雑さを避けるため図示していない。
【０００９】
この傾き調整機構は、先ず、アクトベース２０の底面の基台１０に臨む側の面と、基台
１０の表面の間に球面接触する形状を設けている。そのことを図３と図４を参照して説明
する。図３は、アクトベース２０の二次元三面図であり、（ａ）が底面図、（ｂ）が平面
図、（ｃ）が正面図である。また、図４は基台１０の表面を示した平面図である。
【００１０】
先ず、アクトベース２０については、図３（ａ）の底面図に示したように、光源からの
光の通路となる真円の開口１１の外側近傍に、その開口円１１と同心円上の三等分の位置
に、表面が凸の曲面で水平断面が勾玉（まがたま）状の突条１２が形成されている。
【００１１】
他方、基台１０側については、図４に示すように、その表面に、前記アクトベース２０
を固定した際に、アクトベース２０上の光の通路となる開口円１１に対応する位置に開口
円２が設けられている。そして、その開口円２の外側の同心円上の三等分の位置に、表面
が曲面の突条３が形成されている。
【００１２】
この突条３は平面図である図４では扇形をなしているが、立体的には、各扇型の大きい
円弧から小さい円弧に向かって、所定の曲線に沿って低くなって行く凹の曲面を成してい
る。従って、その基台１０の三つの凹の突条３の上に前記アクトベース２０の底面の三つ
の凸の突条１２を対応させる形で、基台１０の上にアクトベース２０を載置すると、それ
らの凹と凸の突条３、１２は互いに球面接触し、アクトベース２０は基台１０に対して揺
動自在となるようになっている。
【００１３】
次に、再び、アクトベース２０に戻って、その（ａ）、（ｂ）を参照して説明すると、
（ａ）の底面図に示すように、アクトベース２０の底面には、図の左下隅の部分に水平突
設部１３が設けられており、ここにねじ穴１３ａが設けられている。ちなみに、（ｂ）の
平面図では、図の右下隅の部分である。
【００１４】
同じように、（ｂ）の平面図に示すように、アクトベース２０の周壁の図の上辺中央部
と左辺中央部にも水平突設部１４があり、ここにもねじ穴１４ａが設けられている。上記
アクトベース２０と基台１０とは、図２で示したように、図の二箇所の一点鎖線の位置で
、基台１０の底面側から上方のアクトベース２０の周壁の水平突設部１４のねじ穴１４ａ
に挿通されるねじ（図示せず）で、ねじ締めして固定するようになっている。
【００１５】
他方、基台１０側には、アクトベース２０を載置した際、その底面の水平突設部１３に
設けたねじ穴１３ａに対応して、そのねじ穴１３ａの中心を通る垂直軸と軸心を一にした
柱体１７を垂下した形状の支柱１８を立設している。
【００１６】
そして、その柱体１７にコイルバネの一端側を挿通させ、他端側をねじ穴１３ａに係合
させて、コイルバネ１６を基台１０とアクトベース２０の間に立設している。以上がこの
アクトベース２０と基台１０周りのアクトベース２０の傾き調整機構の構成である。次に
、この構成におけるアクトベース２０の傾きの調整方法について説明する。
【００１７】
先ず、前記したように、アクトベース２０を基台１０の上に載置すると、両者の間の球
面接触構造によって、アクトベース２０が基台１０に対して揺動自在の状態に置かれるが
、光ピックアップの製造工程では、最初、基台１０に対する（光ディスクに対する）アク
トベース２０の最適な「傾き」量が決定されるまでは、アクトベース２０を基台１０側に
保持している二箇所のねじを本締めではなく、仮留めの状態にしておく。
【００１８】
そうすると、コイルバネ１６で支持された位置では、そのコイルバネ１６によってアク
トベース２０の底面の水平突設部が基台１０側に付勢されるが、アクトベース２０は基台
１０に対して球面接触しているので、本締めをしていない前記二箇所のねじの位置では、
てこの作用によって上方に持ち上げられるような形になる。そして、その持ち上げられた
部分をせき止めるのがその位置の基台１０にねじ込まれたねじである。
【００１９】
こうして、アクトベース２０は、ねじ留めされる二点とコイルバネが立設された位置の
一点とを結ぶ三角形の面が、その面内のコイルバネ１６が立設された位置を通る直線の回
りに回転可能な自由度を有したものになる。この自由度の範囲内でアクトベース２０を揺
動させてその傾きが所定の最適の傾きになったところで、基台１０の下方にある、二箇所
の図示しないねじを本締めして、アクトベース２０の傾き姿勢を決定する。
【発明の開示】
【発明が解決しようとする課題】
【００２０】
以上がアクトベースの傾き調整機構の一従来例の構成であるが、以下のような問題があ
る。すなわち、アクトベース２０を三点支持する内のコイルバネ１６が、それを支持して
いる支柱１８の柱体１７や下方のねじ止め板１３のねじ穴１３ａから外れやすいという問
題である。
【００２１】
そこで、本発明は、その外れやすいコイルバネに代え、そのような部品の脱落のない、
かつ、そのコイルバネの場合と同じような簡潔な構成で、組み立ても簡単、かつ、アクト
ベースの傾きの調整が従来同様、簡単に行えるような構成にすることを課題とする。
【課題を解決するための手段】
【００２２】
上記課題を達成するために本発明は、光源からの出射光を対物レンズ側に平行光にして
照射するコリメータレンズと、対物レンズと、その対物レンズのホルダを擁し、基台の上
に搭載されるアクトベースの基台に臨む底面と、基台の表面のそれぞれに、互いに球面接
触する形状が形成されていて、アクトベースが基台に対して揺動自在になっているととも
に、その基台の、アクトベースが球面接触している領域の外側の三点の内の二点において
、アクトベースの側壁から突設させたねじ止め板に対して、基台の底面側から上向きに、
アクトベースの傾き調整用ねじを螺合させ、残りの一点において、基台に立設した支柱の
上端の水平突設部とアクトベースの底面から突設させた水平支持板との間にコイルバネを
立設保持させた光ピックアップにおいて、
前記コイルバネに代えて、両端寄りに段部とフランジ部を有した棒状のゴムのその段部
のそれぞれを、前記基台に立設した支柱の上端の水平突設部に設けた係合穴と、その直下
の位置の前記アクトベースの水平支持板と、その直下の基台の両者を貫通して設けた係合
穴のそれぞれに挿通し、両端のフランジ部を係合させる形で、その棒状のゴムを立設保持
したのである。
【発明の効果】
【００２３】
本発明は、上記のようにしたので、従来の構成の内、基台に立設された支柱上端水平突
設部に垂下されていた柱体と、アクトベースの底面から水平に突設されたねじ止め板のね
じ穴に係合させていたコイルバネの場合のように、それが簡単に脱落する、といったおそ
れがない。また、光ピックアップ組み立て時の、その棒状のゴムの組み込みも簡単に行え
る。
【００２４】
そして、棒状のゴムも、その長さ方向に伸縮するので、前記したコイルバネの場合と同
様、二つのねじとともに、アクトベースの傾きを調整することができる。
【発明を実施するための最良の形態】
【００２５】
以下、この発明の実施の形態を図面を参照して説明する。従来例と同じ要素については
同じ符号を付して、その説明は省略する。図１（ａ）は、従来例のコイルバネに代えて用
いる棒状のゴム１９を正面図で示し、（ｂ）、（ｃ）に、そのゴム１９を基台１０とアク
トベース２０の間に組み付ける前後の状態を斜視図で示したものである。前記従来例の場
合と同様、図の煩雑さを避けるため、本来、アクトベース２０上に搭載される光学系の部
品や対物レンズホルダをフォーカス方向とトラッキング方向に電磁駆動するための電磁部
品などは一切描いていない。
【００２６】
本実施形態の構成が従来例のものと異なるのは、前出の図２に示したように、アクトベ
ース２０を基台１０に固定している二つのねじ留め箇所と、コイルバネ１６が立設保持さ
れていた部分の内の、そのコイルバネ１６の部分である。
【００２７】
本実施形態では、従来例のそのコイルバネ１６が立設されていた構成に代えて、図１（
ａ）に示したような形状の棒状のゴム１９を立設したのである。図に示すように、この棒
状のゴム１９は、その棒状の両端寄りに段部１９ａを有し、両端１９ｂがフランジ形状と
なっている。
【００２８】
そして、この棒状のゴム１９を、基台１０とアクトベース２０の間に立設するため、基
台１０側については、前記したコイルバネ１６を立設保持するための柱体１７が設けられ
ていた支柱１８の上端の水平突設部において、その柱体１７を削除して、その柱体１７の
軸芯と中心を一にする貫通穴１８ａを設け、コイルバネ１６の下端を係合させていたアク
トベース２０の底面からの水平突設部１３のねじ止め穴１３ａの直下の部分に貫通穴１８
ｂを設けたのである。
【００２９】
このように改造された基台１０に対し、先ほどの棒状のゴム１９の下側の段部１９ａを
、基台１０の貫通穴１８ｂとアクトベース２０の底面から水平に突設されたねじ止め板１
３のねじ穴１３ａとに挿通してフランジ部１９ｂを係合させ、支柱１８の上端の水平突設
部の穴１８ａに、ゴム１９の上端側の段部１９ａを挿通してフランジ部１９ｂで係合させ
て、ゴム１９を立設保持したものである。
【００３０】
他の構成、すなわち、残り二つのねじ留め箇所（アクトベース２０の周壁から水平に突
設されたねじ止め板１４のねじ穴１４ａ）の部分やアクトベース２０の底面と基台１０の
表面が球面接触するために両者に突条曲面１２、３が設けられているといった構成は本実
施形態でも同じ構成を採っている。従って、そのような構成におけるアクトベース２０の
傾きの調整方法も従来例の場合と同様である。
【００３１】
上記のような構成にしたので、本実施形態では、アクトベース２０の傾きを調整する部
品（棒状のゴム１９）の脱落がなく、かつ、その取り付け作業も、従来のコイルバネ１６
と同じく容易であり、また、取り付け後も、コイルバネ１６の場合と同じように、簡易な
形でアクトベース２０の傾きを調整することができる。
【００３２】
そして、棒状のゴムも、その長さ方向に伸縮するので、前記したコイルバネの場合と同
様、二つのねじとともに、アクトベースの傾きを調整することができる。
【産業上の利用可能性】
【００３３】
この発明は光ピックアップとそれを備えた光ディスク装置一般に広く適用することがで
きる。
【図面の簡単な説明】
【００３４】
【図１】は、（ａ）に、従来例のコイルバネに代えて用いる棒状のゴム１９を正面図で示し、（ｂ）にアクチュエータと基板の間の調整用ゴムを組み付ける前の状態を示し、（ｃ）に組み付け後の状態を示したものである。
【図２】は、従来例の要部のみを示した斜視図であり、（ａ）にアクチュエータと基板の間の調整用コイルバネを組み付ける前の状態を示し、（ｂ）に組み付け後の状態を示したものである。
【図３】は、（ａ）に従来例のアクチュエータを底面図で示し、（ｂ）に平面図を示し、（ｃ）に側面図で示したものである。
【図４】は、ピックアップの基台の平面図である。
【符号の説明】
【００３５】
１０    基台
１３、１４    ねじ止め板
１３ａ、１４ａ    ねじ穴
１７    柱体
１８    支柱
１８ａ、１８ｂ    貫通穴
１９    ゴム
１９ａ    段部
１９ｂ    フランジ部
２０    アクトベース
【図１】
2007058899.tif 000003
【図２】
2007058899.tif 000004
【図３】
2007058899.tif 000005
【図４】
2007058899.tif 000006